(57)【要約】      （修正有）【課題】自立しているので立てた状態で仮置きすることができて使用する際に掴み易く、ゴルフボールに上から被せるだけで簡単にゴルフボールを回収でき、また、回収したボールを目視できるので個数がわかり、さらに、回収後、立ったままの姿勢でゴルフボールに手を触れることなく、狭い範囲内にゴルフボールを吐き出しできるゴルフボール回収具を提供する。【解決手段】ゴルフボールを取入れる取入口２−３を有する取入部２と、該取入部２の上部に備えられて該ゴルフボールを収納するボール収納管３、５と、を少なくとも備え、取入口２−３にゴルフボールを取込んで、かつ、落下させないためのパッキン２−１を設けた。【選択図】図１
0003211505.tif 000002
【実用新案登録請求の範囲】
【請求項１】
ゴルフボールを取入れる取入口を有する取入部と、該取入部の上部に備えられて該ゴルフボールを収納するボール収納管と、を少なくとも備え、前記取入口に前記ゴルフボールを取込んで、かつ、落下させないためのパッキンを設けたことを特徴とするゴルフボール回収具。
【請求項２】
前記パッキンが軟質で可逆的に変形するものあって、該パッキンに囲われた開口部の断面形状が、下面が広く上面が狭くなったハの字型となっており、上面の開口部の直径がゴルフボールの直径より０．１〜２ｍｍ小さいことを特徴とする請求項１に記載のゴルフボール回収具。
【請求項３】
前記ボール収納管の上部に、エルボ部材を備えたことを特徴とする請求項１又は２に記載のゴルフボール回収具。
【請求項４】
前記ボール収納管の上部又は前記エルボ部材の先端部に、着脱自在の蓋を備えたことを特徴とする請求項１又は２又は３に記載のゴルフボール回収具。
【請求項５】
前記エルボ部材の先端部に備えた蓋と、前記エルボ部材と、をチェーンで連結したことを特徴とする請求項１から４のいずれかに記載のゴルフボール回収具。
【請求項６】
前記ボール収納管を透明な部材にしたことを特徴とする請求項１から５のいずれかに記載のゴルフボール回収具。
【考案の詳細な説明】
【技術分野】
【０００１】
本考案は、立ったままの姿勢で、ゴルフボールに上から被せるだけで簡単にゴルフボールを回収でき、また、回収したボールが目視できるので回収した個数がわかり、さらに、回収後、立ったままの姿勢でゴルフボールに手を触れることなく、意図した狭い範囲内にゴルフボールを吐き出しできるゴルフボール回収具に関するものである。
【背景技術】
【０００２】
従来、ゴルフの練習はドライバーショット、アイアンショットを打放し練習場で行ったり、アプローチショットをグリーン練習場で行ったりしていた。大規模な打ちっ放し練習場では、人力でゴルフボールを１個１個拾って回収すれば膨大な時間と労力がかかるので、大掛かりな機械を用いて、ゴルフボールを回収していた。
【０００３】
例えば、グランド上に広く散在しているゴルフボール同士が、隣り合って纏まって密集していても、ゴルフボールを個別に確実に挟持して拾い上げ、取りこぼしが生じないようにしたゴルフボール収集装置が先行技術として開示されている（文献１）。
【先行技術文献】
【特許文献】
【０００４】
【特許文献１】特開２０１２−３４８８４号公報。
【考案の概要】
【考案が解決しようとする課題】
【０００５】
前記の先行技術は、広くて、しかも、車が乗り入れられる打放し練習場などでのゴルフボールの回収には、ゴルフボールが密集していても確実に回収できる点で優れているが、フェアウエイやバンカーから行うアグリーンを狙うプローチショットの練習には、車が乗り入れられず、よって、機械的に回収できないという問題があった。
【０００６】
そこで、上記の問題を解決するために、自立しているので立てた状態で仮置きすることができて使用する際に掴み易く、ゴルフボールに上から被せるだけで簡単にゴルフボールを回収でき、また、回収したボールを目視できるので個数がわかり、さらに、回収後、立ったままの姿勢でゴルフボールに手を触れることなく、狭い範囲内にゴルフボールを吐き出しできるゴルフボール回収具を考案して提供するものである。
【課題を解決するための手段】
【０００７】
本考案の請求項１に係るゴルフボール回収具は、ゴルフボールを取入れる取入口を有する取入部と、該取入部の上部に備えられて該ゴルフボールを収納するボール収納管と、を少なくとも備え、前記取入口に前記ゴルフボールを取込んで、かつ、落下させないためのパッキンを設けたことを特徴とする。
【０００８】
この構成を採用することによって、本考案に係る請求項１のゴルフボール回収具は、ゴルフボールの上から、取入口を被せて押さえつけるだけで、取入口から確実にゴルフボールを取り入れることができて、パッキンの作用によって取り入れたゴルフボールは落下せず、簡単で確実にゴルフボールを回収できる。また、新しく回収されたゴルフボールが、取入口の上部に備えられたボール収納管に、下から順番に蓄えられていく。よって、一度の回収作業で、沢山のゴルフボールを回収して運搬できる。また、パッキンの作用で強く押さえ付けなくともゴルフボールを取込めるので、グリーン上にボールマークを残さずに回収できる。よって、アプローチ練習場だけでなく、コース上のグリーンでの練習の際にも使用可能である。また、練習場の片隅のような狭隘な箇所でも使用できる。また、棒状で細身なので、キャディーバック内に収納できて、持運びの邪魔にならない。
【０００９】
また、本考案に係るゴルフボール回収具は、人が手で持ち運びができて、グリーン上でも容易にボール回収作業ができる。即ち、ボール収納管を手に持って作業ができ、立ったままの姿勢で確実に多数のゴルフボールを回収することができる。よって、回収作業がグリーン上でも可能で、かつ、確実に回収できて、しかも疲れにくい。
【００１０】
本考案の請求項２に係るゴルフボール回収具は、請求項１に記載のゴルフボール回収具おいて、前記パッキンが軟質で可逆的に変形するものあって、該パッキンに囲われた開口部の断面形状が、下面が広く上面が狭くなったハの字型となっており、上面の開口部の直径がゴルフボールの直径より０．１〜２ｍｍ小さいことを特徴とする。
【００１１】
この構成を採用することによって、本考案のゴルフボール回収具は、ゴルフボールの上から、取入口を被せて押さえつけるだけで、パッキンが軟質なので撓んで変形し、容易にゴルフボールを取り入れることができ、また、取り入れたゴルフボールは、パッキンが元の形状に戻り、パッキンに囲われた開口部の直径がゴルフボールの直径より０．１〜２ｍｍ小さいので、パッキンに引っ掛かって落下せず、簡単で確実にゴルフボールを回収できる。また、これを繰り返すことにより、多数のゴルフボールを収納管の中に容易に回収し、収納できる。また、取入口の平面積が大きいので、立てた状態で仮置きできる。よって、使用する際に立った姿勢のままゴルフボール回収具を手に取ることができる。
【００１２】
また、本考案の請求項３に係るゴルフボール回収具は、請求項１又は２に記載のゴルフボール回収具において、前記ボール収納管の上部に、エルボ部材を備えたことを特徴とする。また、本考案の請求項４に係るゴルフボール回収具は、請求項１又は２又は３に記載のゴルフボール回収具において、前記ボール収納管の上部又は前記エルボ部材の先端部に、着脱自在の蓋を備えたことを特徴とする。また、本考案の請求項５に係るゴルフボール回収具は、請求項１から４のいずれかに記載のゴルフボール回収具において、前記エルボ部材の先端部に備えた蓋と、前記エルボ部材と、をチェーンで連結したことを特徴とする。
【００１３】
これらの構成を採用することによって、本考案に係る請求項３のゴルフボール回収具は、回収したゴルフボールを吐き出す際に、ゴルフボール回収具を、逆さまにして、エルボ部材の側から地面に平行な方向にゴルフボールを出すことができる。よって、静かにゴルフボールを転がすことができるので、使用者の意図しない場所に、回収したゴルフボールが出て行かない。また、本考案に係る請求項４のゴルフボール回収具は、エルボ部材の先端部に蓋があるので、回収したゴルフボールを吐き出する際に、エルボ部材を下に向けて少し振るとゴルフボールが蓋に当たって、その衝撃で蓋が外れてゴルフボールを吐き出できるが、蓋が外れる時の抵抗によって、吐き出されるゴルフボールは、転がる勢いを殺がれて遠くまで転がらず、使用者の足元に転がることになる。また、ボール収納管に直接蓋をすれば、パッキンの作用で取入口からゴルフボールが落ちないので、ゴルフボールの収納ケースとして、そのまま使用できる。また、本考案に係る請求項５のゴルフボール回収具は、蓋はチェーンでエルボ部材に連結されているので、蓋が外れた後又は蓋を外した後も、蓋を紛失したりしない。
【００１４】
また、本考案の請求項６に係るゴルフボール回収具は、請求項１から５のいずれかに記載のゴルフボール回収具において、前記ボール収納管を透明な部材にしたことを特徴とする
【００１５】
これらの構成を採用することによって、本考案に係る請求項６のゴルフボール回収具は、回収したゴルフボールの個数を一目で確認できる。
【考案の効果】
【００１６】
本考案に係る請求項１から６のゴルフボール回収具によれば、回収作業がグリーン上で、立った姿勢のまま、ゴルフボールの上から、被せて押さえつけるだけで、確実にゴルフボールを取り入れることができて、簡単で確実にゴルフボールを回収できて、疲れにくい。また、一度の回収作業で、沢山のゴルフボールを回収して運搬できる。また、ゴルフボール回収具を、逆さまにして、静かにゴルフボールを転がすことができるし、また、使用者の足元に転がすことができる。また、ゴルフボールの収納ケースとして、そのまま使用できる。また、回収したゴルフボールの個数を一目で確認できる。したがって、グリーン上のパッティングの練習やグリーン周りのアプローチの練習が効率的に数多く行えるので、ゴルフの技術向上に貢献する。
【図面の簡単な説明】
【００１７】
【図１】図１は、本考案を実施するための形態に係るゴルフボール回収具の模式的斜視図である。
【図２】図２は、本考案を実施するための形態に係るゴルフボール回収具のであって、（ａ）は、パッキンがゴム製の模式的断面図であり、（ｂ）は、パッキンが発泡樹脂製の模式的断面図である。
【図３】図３は、本考案を実施するための形態に係るゴルフボール回収具のゴルフボール回収時の使用している状態を示す模式的斜視図である。
【図４】図４は、本考案を実施するための形態に係るゴルフボール回収具のゴルフボール回収後のゴルフボールを出している状態を示す模式的斜視図である。
【図５】図５は、本考案を実施するための形態に係るゴルフボール回収具をゴルフボールケースとしての使用している状態を示す模式的斜視図である。
【考案を実施するための形態】
【００１８】
本考案に係るゴルフボール回収具１は、図１、図５に示すように、少なくとも、ゴルフボール５０を取入れる取入口２−１を備えた取入部２と、取入部２の上方にも接続した直管Ａ３と、から構成され、使用状況に応じて、直管Ａ３の上方に備えたジョイント４と、ジョイント４の他端に接続した直管Ｂ５と、直管Ｂ５に接続したエルボ部材６と、エルボ部材６の他端に接続した直管Ｃと、直管Ｃ７を蓋する蓋Ｄ８と、蓋Ｄ８とエルボ部材６とを連結したチェーン９と、直管Ａ３を蓋する蓋Ｅ１０と、を備えている。
【００１９】
取入部２は、図２（ａ）、（ｂ）に示すように、ゴルフボール５０を取入れる取入口２−３の内部に軟質のパッキン２−１、２−２が設けられて、そのパッキン２−１、２−２に囲われてできる開口部の断面形状が、下面が広く、上面が狭くなったハの字型の形状であって、上面の開口部は、ゴルフボール５０より０．１〜２ｍｍ小さい直径である。また、例示している、パッキン２−１はゴム製であって、パッキン２−２は発泡させた合成樹脂製であって、ポリエチレンフォーム保温材を切削加工して製作することができる。これらの構成によって、ゴルフボール５０の上方から取入口２−３を被せて押し付ければ、ゴルフボール５０は、ハの字形状の斜面に沿って移動して、パッキン２−１、２−２の上面の開口部に移動させられる。そして、ゴルフボール５０が、パッキン２−１、２−２に押し付けられた際に、パッキンの上面部は、厚みが１〜４ｍｍと薄くなっているのでゴムや発泡樹脂の柔らかく撓む性質と相俟って弾性変形することができ、一瞬撓んで変形してゴルフボール５０をパッキン２−１、２−２の上部の取入部２内に収納することができ、そして、パッキン２−１、２−２は、ゴルフボール５０を取入れた直後に一瞬で元の形状に戻るので、ゴルフボール５０は、パッキン２−１、２−２による開口部の直径より大きいので、パッキン２−１、２−２に引っ掛かって落ちたりしない。なお、パッキン２−１、２−２による上面の開口部の直径は、ゴルフボール５０の直径より０．５〜１．５ｍｍ小さいのが、また厚みは２〜３ｍｍが、ゴルフボール５０の逆止弁として好適である。
【００２０】
直管Ａ３は、図３、図５に示すように、透明な樹脂製であるので、中身が見えるので回収したゴルフボール５０の数量が一目でわかる。また、ジョイント４を外して、蓋Ｅ１０を付けることによって、図５に示すように、ゴルフボール５０のボールケースとなる。なお、ゴルフボール５０の内径が約４２ｍｍなので、直管Ａの内径は、それより１〜２ｍｍ大きい、直径４３〜４５ｍｍが好適である。また、長さは、回収して収納するゴルフボールの個数に応じて、３０〜６０ｃｍが好適である。
【００２１】
ジョイント４は、樹脂製であって、直管Ａ３及び直管Ｂ５の外周に内接して被せて連結している。前述したように、直管Ａ３を外すこともあるので、直管Ａ３とは、接着しない。
【００２２】
直管Ｂ５は、合成樹脂製であって、ジョイント４とエルボ部材６との間に設けられ、ゴルフボール５０を回収する際に、使用者４０が屈まないようにするためのものである。また、直管Ｂ５は、直管Ａ３と内径も外径も同じ大きさである。また、透明な合成樹脂を使用してもよいし、不透明な合成樹脂でもよい。直管Ｂ５の長さは、直管Ａ３との長さの合計で、６０ｃｍ〜１２０ｃｍである。なお、直管Ｂ５の上部をエルボ部材６の代わりに蓋Ｅを接続してもよく、その場合には、ゴルフボール５０のボールケースとなる。
【００２３】
エルボ部材６は、合成樹脂製であって、９０度でもよいが４５度のものが、ゴルフボール５０を吐き出す際に、転がり出る勢いを殺ぐ観点から好適である。なお、内径は、直管Ａ３と同じ大きさである。
【００２４】
直管Ｃ７は、合成樹脂製であって、直管Ａ３と内径も外径も同じ大きさであり、また、エルボ部材６と蓋Ｄ８とを連結するためのものであるので、少なくともエルボ部材６に差込めて、蓋Ｄ８を装着できる長さがあれば良く、逆に、長過ぎると使い難い。
【００２５】
蓋Ｄ８は、合成樹脂製であって、直管Ｃ７の先端部に装着し、直管Ｃ７の外周に内接する内径の大きさである。
【００２６】
鎖９は、金属製であって、エルボ部材６と、蓋Ｄ８とを連結して、ゴルフボール５０を吐き出す際に、蓋Ｄの紛失防止のために用いられ、簡単に切断されるものでなければよく、アルミ製が好適である。
【００２７】
蓋Ｅ１０は、ゴルフボール５０のボールケースとして使用する際に用いられ、直管Ａ３を蓋するためのものである。蓋Ｅ１０の性質は、蓋Ｄ８と同等のものである。
【００２８】
本考案に係るゴルフボール回収具１の製造方法の一例を説明する。本考案に係るゴルフボール回収具１は、主材料をＶＵ管（薄肉塩ビ管）を使用できる。ＶＵ４０は、内径が４４ｍｍで、ゴルフボール５０の外径が約４２ｍｍなので、ゴルフボール５０が、転がるのに抵抗なく、かつ、管の内部でゴルフボール５０が踊ることもない。よって、まず、ＶＵ５０−４０の異径継手の内部に、ゴム製の所定の形状のパッキン２−１を所定の位置に配置して接着して取入部２を作成する。次に、アクリルを原料としたＶＵ４０と同形状の直管を、所定の切断して直管Ａ３とする。そして、ＶＵ４０の直管を、それぞれ所定の長さに切断して直管Ｂ５、直管Ｃ７を作成する。ＶＵ４０継手をジョイント４とし、ＶＵ４０の４５度エルボをエルボ部材６とし、ＶＵ４０キャップを蓋Ｄ８、蓋Ｅ１０とし、エルボ部材６と蓋Ｄ８とをチェーン９で連結する。そして、取入部２に直管Ａ３を接着剤を塗布して差込んで固定する。また、エルボ部材６の一方とジョイント４の一方に接着剤を塗布して直管Ｂ５を差込んで固定し、エルボ部材６の他方に接着剤を塗布して直管Ｃを差込んで固定する。最後にジョイント４の他方に直管Ａを差込み、蓋Ｄ８を直管Ｃに装着すればゴルフボール回収具１は完成する。よって、本考案に係るゴルフボール回収具１は、既製の材料を切断して、組み合わせて接着することが主体であるので、製作が簡易で費用も安い。
【００２９】
次に、本考案に係るゴルフボール回収具１の使用方法の一例を図４に基づいて説明する。まず、使用者４０は、図４に示すのように、本考案に係るゴルフボール回収具１を組み立てて、フェアウェイやバンカーから、練習に持ってきたゴルフボール５０を全てアプローチショットの練習をしてグリーン上に向けて打つ。打ち終わるまでは、ゴルフボール回収具１の取入部２を下にして立てた状態で、仮置きし、打ち終わった後ゴルフボール５０を回収しに行く際には、素早く手に取って持運びできる。そして、グリーン上のゴルフボールを回収して、再度アプローチショットを練習するために、ゴルフボール回収具１を持ってグリーン上に行き、次いで、直管Ｂ５を手に持って、立った姿勢のまま取入口２−３を、それぞれ順番にゴルフボール５０の上に被せて、上から下に向かって押込めば、簡単にゴルフボール回収具１に回収することができ、また、ゴルフボール５０は、パッキン２−１、２−２に引っ掛かって落下せずに確実に、直管Ａ３の中に下から上に向かって順番に収納されていく。そして、そのままの状態で目的地まで運び、再び、アプローチ練習をするために、今度は、図４に示すように、直管Ａ３を手に持って、逆さま向けて、少し振れば、ゴルフボール５０が蓋Ｄ８に当たって、蓋Ｄ８が開いて、ゴルフボール５０が転がり出る。ゴルフボール５０は、吐き出される際に、４５度のエルボ部材６と蓋Ｄの外れる抵抗によって、転がる勢いを殺がれて、足元の意図した場所に転がる。よって、アプローチ練習の繰り返しに無駄がなく、効率よく練習できる。なお、パッキン２−１、２−２の作用で強く押さえ付けなくともゴルフボール５０を取込めるので、グリーン上にボールマークを残さずに回収できる。よって、アプローチ練習場だけでなく、コース上のグリーンでの練習の際にも使用可能である。また、棒状で細身なので、キャディーバック内に収納できて、持運びの邪魔にならない。また、高齢者や腰痛者には、移動の際の杖代わりとしても使用可能である。
【００３０】
また、本考案に係るゴルフボール回収具１の別の形態の使用方法の一例を図５に基づいて説明する。本考案に係るゴルフボール練習具１は、ジョイント４と直管Ａ３とを切り離して、蓋Ｅ１０を取り付けることによって、ゴルフボール５０の回収具として用いることができる。また、このように本考案に係るゴルフボール回収具１は、ボールケースとそれ以外の部品とに分割できるので、コンパクトになり、車で運搬する際も、トランクに収納し易くなる。
【００３１】
本考案に係るゴルフボール回収具１を用いれば、ゴルフボールの上から、被せて押さえつけるだけで、確実にゴルフボールを取り入れることができて、簡単で確実にゴルフボールを回収できる。また、一度の回収作業で、沢山のゴルフボールを回収して運搬できる。また、ゴルフボール回収具を、逆さまにして、静かに使用者の足元に転がすことができる。また、ゴルフボールの収納ケースとして、そのまま使用できる。また、蓋を紛失したりしない。また、回収したゴルフボールの個数を一目で確認できる。また、本考案に係るゴルフボール回収具１は、既存のＶＵ管を用いれば簡単に、しかも安く製造することができる。
【産業上の利用可能性】
【００３２】
ゴルフのアプローチ練習及び卓球の玉拾いの分野で広く利用できる。
【符号の説明】
【００３３】
１：ゴルフボール回収具
２：取入部
２−１：パッキン（ゴム製）        ２−２：パッキン（発泡樹脂製）
２−３：取入口
３：直管Ａ    
４：ジョイント
５：直管Ｂ
６：エルボ部材
７：直管Ｃ
８：蓋Ｄ
９：チェーン
１０：蓋Ｅ
４０：使用者
５０：ゴルフボール
【図１】
0003211505.tif 000003
【図２】
0003211505.tif 000004
【図３】
0003211505.tif 000005
【図４】
0003211505.tif 000006
【図５】
0003211505.tif 000007
【手続補正書】
【提出日】平成29年5月19日(2017.5.19)
【手続補正１】
【補正対象書類名】実用新案登録請求の範囲
【補正対象項目名】全文
【補正方法】変更
【補正の内容】
【実用新案登録請求の範囲】
【請求項１】
ゴルフボールを取入れる取入口を有する取入部と、該取入部の上部に備えられて該ゴルフボールを収納するボール収納管と、を少なくとも備え、前記取入口に前記ゴルフボールを取込んで、かつ、落下させないためのパッキンを設けたことを特徴とするゴルフボール回収具。
【請求項２】
前記パッキンが軟質で可逆的に変形するものであって、該パッキンに囲われた開口部の断面形状が、下面が広く上面が狭くなったハの字型となっており、上面の開口部の直径がゴルフボールの直径より０．１〜２ｍｍ小さいことを特徴とする請求項１に記載のゴルフボール回収具。
【請求項３】
前記ボール収納管の上部に、エルボ部材を備えたことを特徴とする請求項１又は２に記載のゴルフボール回収具。
【請求項４】
前記ボール収納管の上部又は前記エルボ部材の先端部に、着脱自在の蓋を備えたことを特徴とする請求項３に記載のゴルフボール回収具。
【請求項５】
前記エルボ部材の先端部に備えた蓋と、前記エルボ部材と、をチェーンで連結したことを特徴とする請求項４に記載のゴルフボール回収具。
【請求項６】
前記ボール収納管を透明な部材にしたことを特徴とする請求項１から５のいずれかに記載のゴルフボール回収具。
【手続補正２】
【補正対象書類名】明細書
【補正対象項目名】００１０
【補正方法】変更
【補正の内容】
【００１０】
本考案の請求項２に係るゴルフボール回収具は、請求項１に記載のゴルフボール回収具おいて、前記パッキンが軟質で可逆的に変形するものであって、該パッキンに囲われた開口部の断面形状が、下面が広く上面が狭くなったハの字型となっており、上面の開口部の直径がゴルフボールの直径より０．１〜２ｍｍ小さいことを特徴とする。
【手続補正３】
【補正対象書類名】明細書
【補正対象項目名】００１２
【補正方法】変更
【補正の内容】
【００１２】
また、本考案の請求項３に係るゴルフボール回収具は、請求項１又は２に記載のゴルフボール回収具において、前記ボール収納管の上部に、エルボ部材を備えたことを特徴とする。また、本考案の請求項４に係るゴルフボール回収具は、請求項３に記載のゴルフボール回収具において、前記ボール収納管の上部又は前記エルボ部材の先端部に、着脱自在の蓋を備えたことを特徴とする。また、本考案の請求項５に係るゴルフボール回収具は、請求項４に記載のゴルフボール回収具において、前記エルボ部材の先端部に備えた蓋と、前記エルボ部材と、をチェーンで連結したことを特徴とする。